(57)【要約】 【課題】もみ玉の回転運動と往復運動とをモータの一本の出力軸からの駆動力によっておこなうことができ、構成を簡素化する。  【解決手段】移動体６にもみ玉４の回転動力を伝達する伝動軸６３を架設する。往復駆動用のウオームホイール５０を回転自在に取り付ける。一つのモータ３の一つの出力軸８と伝動軸６３を近づけたり距離を隔てたりすることが可能で動力を伝達することができる手段７３にて連結する。伝動軸６３とウオームホイール５０とを伝動手段７６にて連結する。ウオームホイール５０の外周部と本体ハウジング２７とを揺動リンク７２にて連結した。【選択図】図１
2006247434.tif 000002
【特許請求の範囲】
【請求項１】
足置き台と、足置き台に形成された開口部から突出して内蔵のモータにより回転駆動されるもみ玉を備えた施療部と、施療部を保持してモータにより往復駆動移動される移動体とを備えたマッサージ機であって、移動体にもみ玉の回転動力を伝達する伝動軸を架設するとともに往復駆動用のウオームホイールを回転自在に取り付け、一つのモータの一つの出力軸と伝動軸を近づけたり距離を隔てたりすることが可能で動力を伝達することができる手段にて連結し、伝動軸とウオームホイールとを伝動手段にて連結し、ウオームホイールの外周部と本体ハウジングとを揺動リンクにて連結して成ることを特徴とするマッサージ機。
【請求項２】
ウオームホイールに回転動力を伝達する上記伝動手段にワンウエイクラッチを介装して成ることを特徴とする請求項１記載のマッサージ機。
【請求項３】
本体ハウジングに固定されたモータから駆動力を得るもみ玉は移動体に連結されていることを特徴とする請求項１記載のマッサージ機。
【請求項４】
施療領域の周囲にカバーを配設し、施療領域に足を置いたときに踵に当たるカバー部分に複数の突起を設けて成ることを特徴とする請求項１記載のマッサージ機。
【発明の詳細な説明】
【技術分野】
【０００１】
本発明は、足、腰等を施療するマッサージ機に関し、詳しくは、足置き台と、足置き台に形成された開口部から突出して内蔵のモータにより駆動されるもみ玉を有する施療部を備えたマッサージ機に関し、更に、詳しくは、もみ玉の回転運動と往復運動とをモータの一本の出力軸からの駆動力によっておこなうことができ、構成を簡素化しようとする技術に係るものである。
【背景技術】
【０００２】
足、腰等を施療するマッサージ機においては、もみ玉が足おき台に対して垂直方向に移動したり、足おき台の面と略平行な軸をもつ円筒物を回転運動させるものであったが、複数のモータを要して構成が複雑になるものであった。（例えば、特許文献１参照）
【特許文献１】実願昭６３−８７９１９号（実開平２−８４２７号）のマイクロフィルム
【発明の開示】
【発明が解決しようとする課題】
【０００３】
本発明はこのような問題に鑑みてなされたものであり、もみ玉の回転運動と往復運動との種々の組合わせによって、指圧、輪転、揉ねつのようなマッサージ効果を得ることができ、足、腰等のこり、疲れ等を効果的にとり除くことができながら、駆動構成を簡素化することができるマッサージ機を提供することを課題とするものである。
【課題を解決するための手段】
【０００４】
請求項１の発明においては、足置き台１と、足置き台１に形成された開口部２から突出して内蔵のモータ３により回転駆動されるもみ玉４を備えた施療部５と、施療部５を保持してモータ３により往復駆動移動される移動体６とを備えたマッサージ機であって、移動体６にもみ玉４の回転動力を伝達する伝動軸６３を架設するとともに往復駆動用のウオームホイール５０を回転自在に取り付け、一つのモータ３の一つの出力軸８と伝動軸６３を近づけたり距離を隔てたりすることが可能で動力を伝達することができる手段７３にて連結し、伝動軸６３とウオームホイール５０とを伝動手段７６にて連結し、ウオームホイール５０の外周部と本体ハウジング２７とを揺動リンク７２にて連結していることを特徴とするものである。
【０００５】
このような構成によれば、一つのモータ３の一つの出力軸８からの駆動力によって、移動体６に架設した伝動軸６３を介してもみ玉４の回転駆動をおこなうことができるのであり、又、移動体６に取り付けたウオームホイール５０が伝動手段７６を介して駆動回転されることと、ウオームホイール５０の外周部は本体ハウジング２７側に揺動リンク７２を介して連結されていることからのクランク運動によって移動体６を往復駆動させることができるのであり、しかして、もみ玉４を備えた施療部５の回転運動、施療部５を保持した移動体６の往復運動をおこなうことができ、これらを組み合わせたマッサージが可能となり、人体のこりをほぐすことができる。しかも、もみ玉４を備えた施療部５の回転運動及びもみ玉４を備えた施療部５を保持する移動体６の往復運動を一つの出力軸８からの出力によっておこなうことができ、構成を簡素化できる。
【０００６】
請求項２の発明においては、ウオームホイール５０に回転動力を伝達する上記伝動手段７６にワンウエイクラッチ１１を介装していることを特徴とするものである。
【０００７】
このような構成によれば、ワンウエイクラッチ１１によって移動体６の往復運動を選択することができ、もみ玉４を備えた施療部５の回転運動、施療部５を保持した移動体６の往復運動の一方又は両方を組合わせる運動をおこなうことができ、一層、人体のこりをほぐすことができる。
【０００８】
請求項３の発明においては、本体ハウジング２７に固定されたモータ３から駆動力を得るもみ玉４は移動体６に連結されていることを特徴とするものである。
【０００９】
このような構成によれば、駆動回転されるもみ玉４の往復運動を確実におこなうことができる。
【００１０】
請求項４の発明においては、施療領域の周囲にカバー１７を配設し、施療領域に足を置いたときに踵に当たるカバー部分に複数の突起１８を設けていることを特徴とするものである。
【００１１】
このような構成によれば、施療領域に足を置いたときに踵が突起１８に当たることから足が施療領域からずれることを防止することができ、正確に指圧マッサージをおこなうことができる。
【発明の効果】
【００１２】
要するに本発明は、一つのモータの一つの出力軸からの駆動力によって、もみ玉の回転駆動と、もみ玉を備えた移動体を往復駆動させることができるのであり、これらを組み合わせたマッサージが可能となり、人体のこりをほぐすことができながら、モータの一つの出力軸からの出力によっておこなうことができ、構成を簡素化できる。
【発明を実施するための最良の形態】
【００１３】
以下、本発明を添付図面に示す実施形態に基いて説明する。
【００１４】
図１はマッサージ機Ａの平面図を示し、図２はモータ３の出力軸８ともみ玉４の回転、及び、もみ玉４を備えた移動体６を往復動させる駆動力を伝達させる伝達軸６３との関係を示す断面図である。  上部ハウジング２５と下部ハウジング２６で構成される本体ハウジング、つまり、足置き台１の内部に駆動部が内蔵され、上部ハウジング２５に形成した開口部２にもみ玉４を備えた施療部５が臨んで施療部５を往復運動させるとともにもみ玉４を回転させて足や足裏及び腰等に施療部５を当てて施療をおこなうことができるようにしている。もみ玉４は（偏心）回転運動されるとともにもみ玉４を備えた施療部５を往復運動させて、種々のマッサージ作用をおこなえるようにしている。以下、詳述する。
【００１５】
図１乃至図４に示すように、下部ハウジング２６の内部にモータ３を内蔵し、モータ３の一端部から出力軸８を延出している。下部ハウジング２６には一対のガイドバー２９，２９が取付けられ、ガイドバー２９，２９に軸受を介して板状の移動体６が開口部２，２の長さ方向にガイド移動自在に設けられている。
【００１６】
移動体６にはもみ玉４の回転動力を伝達する伝動軸６３としてのウオーム軸６３ａを回転自在に架設している。モータ３の出力軸８と伝動軸６３とが二つのリンク６１，６２を腰折れ自在にした腰折れリンク６０にて連結されて出力軸８に対して伝動軸６３を近接・離反（近づけたり距離を隔てたりすること）自在に連結している。このように出力軸８に対して伝動軸６３を近接・離反自在に連結する手段７３は他に設計変更することができる。
【００１７】
出力軸８、リンク６１、６２を腰折れ自在に連結しているリンク枢着軸７８及び伝動軸６３には各々プーリ７９が設けられ、各プーリ７９，７９間に伝動ベルト７４，７５が巻回されている。伝動軸６３の両端部にはウオームギヤ６４、６５が取り付けられ、もみ玉４の回転軸３３に取り付けられたウオームホイール６６、８０に噛合している。
【００１８】
モータ３の出力軸８の駆動回転によって腰折れリンク６０、伝動ベルト７４，７５を介して伝動軸６３を駆動し、伝動軸６３の回転でウオームホイール６６，８０を駆動して回転軸３３を回転させてもみ玉４を駆動回転させることができるようにしている。回転軸３３の回転にてもみ玉４を（偏心）回転させる構成は以下のとおりである。
【００１９】
移動体６には左右に施療基台１９と一体化された回転軸３３が回転自在に挿通され、回転軸３３には回転体が取付けられている。施療基台１９には回転軸３３とは偏心させてもみ玉軸３５を立設し、ベアリングを介してもみ玉４を回転自在に取付けている。
【００２０】
移動体６には伝動軸６３と略平行に往復動力伝達軸６８を架設してあり、伝動軸６３に歯車６７，６９を介して連結している。往復動力伝達軸６８にはウオームギヤ７０を設けてあり、移動体６に回転自在に設けたウオームホイール５０に噛合している。ウオームホイール５０の外周部には揺動リンク７２が軸８１を介して回転自在に連結され、揺動リンク７２の他端部は本体ハウジング２７に軸８２を介して回転自在に連結されている。
【００２１】
しかして、伝動軸６３の回転に伴なう往復動力伝達軸６８の回転によってウオームギヤ７０を介してウオームホイール５０を駆動回転させ、揺動リンク７２との協同によるクランク運動によって、移動体６を本体ハウジング２７に対して往復運動させることができるようにしている。図１において、Ｌは移動ストロークを示している。
【００２２】
このように、移動体６にもみ玉４の回転動力を伝達する伝動軸６３を架設するとともに往復駆動用のウオームホイール５０を回転自在に取り付け、一つのモータ３の一つの出力軸８と伝動軸６３を近接・離反が可能で動力を伝達することができる手段７３にて連結し、伝動軸６３とウオームホイール５０とを伝動手段７６にて連結し、ウオームホイール５０の外周部と本体ハウジング２７とを揺動リンク７２にて回転自在に連結していることから、一つのモータ３の一つの出力軸８からの駆動力によって、移動体６に架設した伝動軸６３を介してもみ玉４の回転駆動をおこなうのであり、又、移動体６に取り付けたウオームホイール５０が伝動手段７６を介して駆動回転されることと、ウオームホイール５０は本体ハウジング２７側に揺動リンク７２を介して連結されていることからのクランク運動によって移動体６を往復駆動させることができるのである。しかして、もみ玉４を備えた施療部５の回転運動、施療部５を保持した移動体６の往復運動をおこなうことができ、これらを組み合わせたマッサージが可能となり、人体のこりをほぐすことができるのである。
【００２３】
ウオームホイール５０に回転動力を伝達する伝動手段７６である往復動力伝達軸６８にワンウエイクラッチ１１を介装していて、ワンウエイクラッチ１１によって移動体６の往復運動を選択するのであり、もみ玉４を備えた施療部５の回転運動、施療部５を保持した移動体６の往復運動の一方又は両方を組合わせる運動をおこなうことができ、一層、人体のこりをほぐすことができるのである。ワンウエイクラッチ１１の操作は操作部４６にておこなう。ところで、上述のように、本体ハウジング２７に固定されたモータ３から駆動力を得るもみ玉４は移動体６に連結されているのであり、駆動回転されるもみ玉４の往復運動を確実におこなうことができるのである。
【００２４】
もみ玉４が移動する施療領域の周囲にカバー１７を配設し、施療領域に足を置いたときに踵に当たるカバー部分に複数の突起１８を設けてあって、施療領域に足を置いたときに踵が突起１８に当たることから足が施療領域からずれることを防止することができ、正確に指圧マッサージをおこなうことができるのである。
【図面の簡単な説明】
【００２５】
【図１】本発明の実施の形態の平面図である。
【図２】同上のモータと伝動軸との伝動関係を示す断面図である。
【図３】同上のもみ玉の駆動関係を示す断面図である。
【図４】同上の伝動軸と往復動力伝達軸との関係を示す断面図である。
【図５】同上の内部構造、特に、移動体の往復駆動部を示す平面図である。
【図６】同上の移動体の往復駆動部を示す断面図である。
【符号の説明】
【００２６】
１    足置き台
２    開口部
３    モータ
４    もみ玉
５    施療部
６    移動体
１１  ワンウェイクラッチ
１７  カバー
１８  突起
２７  本体ハウジング
５０  ウオームホール
６３  伝動軸
７２  揺動リンク
７３  出力軸より伝動軸に動力を伝達する手段
７６  伝動軸とウオームホイールとを伝動する伝動手段
【図１】
2006247434.tif 000003
【図２】
2006247434.tif 000004
【図３】
2006247434.tif 000005
【図４】
2006247434.tif 000006
【図５】
2006247434.tif 000007
【図６】
2006247434.tif 000008